(57)【要約】【課題】簡易且つ軽量な構成により、使用時の荷重に応じた十分な支持力を得ることのできるマンホール用補助梯子を提供する。【解決手段】マンホール用補助梯子１は、梯子取付具２に対して２つの補助梯子６を取り付け可能である。補助梯子６には、長手方向に直交する方向に連結アーム８が延びており、この上下には、連結アーム８と略平行にマンホールの内壁へ当接可能な当接アーム１０が設けられている。連結アーム８は、梯子取付具２側に設けられた連結部３により連結されている。連結部３は、フランジ部２ａの上方に延び、中央を除く上端側及び下端側にのみ螺子溝３ｃが形成されたボルト部３ａと、螺子溝３ｃに螺合可能なナット部３ｂにより構成されている。補助梯子６を組み付ける前は、ナット部３ｂを上方の螺子溝３ｃに螺合させて退避状態とし、組み付け後は、下方の螺子溝３ｃに螺合させて連結アーム８を締結固定できる。  【選択図】図１
2014227812.tif 000002
【特許請求の範囲】
【請求項１】
マンホールの開口縁に載置可能なフランジ部を有すると共に、連結部を有するリング状の梯子取付具と、
前記連結部に連結可能であり、長手方向に略直角に延びる連結アームを有すると共に、前記連結アームと略平行に、下方位置で前記マンホールの内壁へ当接可能な当接アームを有する補助梯子と
を備えたことを特徴とするマンホール用補助梯子。
【請求項２】
前記連結部は、前記フランジ部の上面から略直角に立設され、両端側にのみ螺子溝が形成されたボルト部と、前記両端側の螺子溝に螺合可能なナット部と、で構成され、
前記連結アームは、前記ボルト部と直交する方向に前記ボルト部が嵌入可能な幅の切り欠きが形成されていると共に、前記ボルト部の延びる方向に前記ナット部の一部が嵌入可能なナット受け凹部が形成されている
ことを特徴とする請求項１に記載のマンホール用補助梯子。
【請求項３】
前記連結アームには、前記補助梯子の長手方向と平行に下方に向けて突設された取付ピンを有し、
前記梯子取付具には、前記切り欠き内に前記ボルト部が嵌入状態にある前記取付ピンが挿入可能な位置に取付穴が形成されている
ことを特徴とする請求項２に記載のマンホール用補助梯子。
【発明の詳細な説明】
【技術分野】
【０００１】
本発明は、地上からマンホール内に設けられた足掛け用のステップへ安全に移ることのできるマンホール用補助梯子に関するものである。
【背景技術】
【０００２】
マンホール内の側壁には足掛け用のステップが設けられている。作業者は、このステップを利用してマンホールの内部へ降りて行くことが可能である。一般にマンホールは、作業者一人が通れる程度の最小限のスペースしか設けられていない。そして、殆どの場合、手摺りなどは設けられていない。このため、ステップを踏み外すと落下の恐れがある。このようなステップがマンホール内に設けられている場合、上半身が地上に出ており、ステップを手で掴むことのできない状態が最も危険である。
【０００３】
これに対して、地上からマンホール内へ安全に移動できるように、従来から、マンホールの開口に補助梯子を取り付ける取付具が考えられている（例えば、特許文献１参照。）。このような構成の例を図９に示す。
【０００４】
図９のマンホール用の梯子取付具１００は、マンホールの開口縁１２０の一部に手摺り枠１０５と梯子を取り付けることのできる支持基台１０１を備えている。梯子取付具１００は、支持基台１０１と、支持基台１０１の上方に接続される手摺り枠１０５と、支持基台１０１の下方に接続される梯子支持部１０６とから構成されている。梯子支持部１０６には、図示していないが、マンホールの内部へ延びる梯子の上端を支持バー１０６ａに引っ掛けることができる。
【０００５】
上記の支持基台１０１は、開口縁１２０の上面に当接する上帯板１０２、内側壁に当接する当接板１０３、及び下面に当接する下帯板１０４とから構成されている。そして、上帯板１０２は、締結孔１０２ａを介して開口縁１２０の上面にボルト等によって締結固定され、下帯板１０４は、ボルト孔１０４ａを介してボルトにより開口縁１２０の下面に固定される。
【０００６】
このようなマンホール用の梯子取付具１００を用いると、地上に延びた手摺り枠１０５に手を掛けながら、安全にマンホール内のステップへ足を運ぶことが可能となる。
【先行技術文献】
【特許文献】
【０００７】
【特許文献１】特開２００５−２６９６号公報
【発明の概要】
【発明が解決しようとする課題】
【０００８】
しかしながら、図９のマンホール用の梯子取付具１００は、マンホールの開口縁１２０のうち、一部にのみ支持基台１０１が固定されるものである。このため、手摺り枠１０５を傾ける向き（マンホールの中心向き等）に大きな力が加わった場合、開口縁１２０から支持基台１０１が外れる恐れがある。そして、万が一、支持基台１０１が外れてしまった場合は、マンホール内に落下する恐れがあり危険である。
【０００９】
また、支持基台１０１を開口縁１２０から外れないようにし、変形を生じないように部材や挟持力を強化する場合、各部材を肉厚に設計するなど、全体が大型になり、重量も増加してしまう。そうなると、運搬、設置が困難になり、作業効率が著しく低下する。
【００１０】
そこで、本発明では、上記課題を解決するために、簡易且つ軽量な構成により、使用時の荷重に応じた十分な支持力を得ることのできるマンホール用補助梯子を提供することを目的とする。
【課題を解決するための手段】
【００１１】
上記目的を達成するために、本発明のマンホール用補助梯子は、マンホールの開口縁に載置可能なフランジ部を有すると共に、連結部を有するリング状の梯子取付具と、連結部に連結可能であり、長手方向に略直角に延びる連結アームを有すると共に、連結アームと略平行に、下方位置でマンホールの内壁へ当接可能な当接アームを有する補助梯子とを備えたことを特徴とする。
【００１２】
また、本発明のマンホール用補助梯子は、上記構成に加えて、連結部は、フランジ部の上面から略直角に立設され、両端側にのみ螺子溝が形成されたボルト部と、両端側の螺子溝に螺合可能なナット部と、で構成され、連結アームは、ボルト部と直交する方向にボルト部が嵌入可能な幅の切り欠きが形成されていると共に、ボルト部の延びる方向にナット部の一部が嵌入可能なナット受け凹部が形成されていることを特徴とする。
【００１３】
また、本発明のマンホール用補助梯子は、上記構成に加えて、連結アームには、補助梯子の長手方向と平行に下方に向けて突設された取付ピンを有し、梯子取付具には、切り欠き内にボルト部が嵌入状態にある取付ピンが挿入可能な位置に取付穴が形成されていることを特徴とする。
【発明の効果】
【００１４】
以上のように、本発明によれば、作業者が補助梯子を使用する際、作業者が乗った補助梯子の重心はマンホールの中央側に偏る。これにより、梯子取付具の連結部に連結された連結アームを支点として、補助梯子の上端側にはマンホールの中央側へ向かう力が働くと共に、下端側にはマンホールの外径側へ向かう力が働き、当接アームがマンホールの内壁を押す力が増大する。当接アームは連結アームと略平行に配置されているので、当接アームがマンホールの内壁を押す力の反力は、リング状の梯子取付具を介して、対向する内壁への押圧力として働く。
【００１５】
このように、作業者が補助梯子を利用する際、作業者の体重が当接アームと梯子取付具とにより、対向するマンホールの内壁を押圧する力に振り分けられるので、マンホール用補助梯子をマンホールに固定する力が増大し、作業の安定度が向上する。また、必要に応じてマンホールに対する十分な固定力が発生するので、部材の小型化・軽量化が可能になり、作業効率の向上を図ることができる。
【００１６】
また、本発明によれば、切り欠き内にボルト部を嵌入させ、フランジ部の上面とナット部の下部との間に連結アームを挟持するように締結すると、ナット部の一部がナット受け凹部に係合し、連結アームの延びる方向への動きを効果的に規制することが可能となる。また、切り欠き内にボルト部を嵌入させる際、螺子溝の形成されていない中央域にて位置合わせを行うと、螺子溝と切り欠きとが干渉せず、螺子溝の潰れを防止できるので、耐久性の向上を図ることが可能となる。
【００１７】
また、本発明によれば、切り欠きにボルト部が嵌入されると、取付ピンが取付穴に挿入可能となる。取付穴に取付ピンが挿入されると（取付穴の中心と取付ピンの軸とが一致すると）、切り欠きに対するボルト部の位置が固定されるので、取付穴に沿って取付ピンを挿入する際、ボルト部の下方に形成された螺子溝と切り欠きとが干渉することを防止できる。
【図面の簡単な説明】
【００１８】
【図１】本発明の実施の形態に係るマンホール用補助梯子の全体斜視図である。
【図２】図１のマンホール用補助梯子の立体分解図である。
【図３】図１のマンホール用補助梯子の連結部及び連結アームの構成を示した端面図である。
【図４】図１のマンホール用補助梯子のロック機構の拡大図である。
【図５】ロック機構の角度調整機能を説明する断面図である。
【図６】図１のマンホール用補助梯子に作用する外力の関係を示した端面図である。
【図７】マンホール用補助梯子の別の使用状態を示した斜視図である。
【図８】マンホール用補助梯子のさらに別の使用状態を示した斜視図である。
【図９】従来のマンホール用梯子取付具を示した図である。
【発明を実施するための形態】
【００１９】
以下、本発明の実施の形態に係るマンホール用補助梯子について、図を用いて説明する。
【００２０】
先ず図１及び図２を用いて、全体の構成について説明する。図１は、本実施の形態に係るマンホール用補助梯子１の全体斜視図である。そして、図２は、図１のマンホール用補助梯子１の立体分解図である。
【００２１】
図１を参照して、マンホール用補助梯子１は、マンホールの開口縁に沿って載置可能なフランジ部２ａを有するリング状の梯子取付具２と、これに取り付けられた２つの補助梯子６とを備えている。リング状の梯子取付具２は、図２に示すように、梯子取付具２に対して着脱自在に取り付けられる。
【００２２】
これら補助梯子６は、長手方向に直交する方向に延びる連結アーム８により梯子取付具２の連結部３と連結されている。この連結部３と連結アーム８については、後に図３を用いて詳しく説明する。
【００２３】
また、梯子取付具２の内側には、マンホールの開口縁に対して固定するため、２つのロック部１２が設けられている。このロック部１２については、後に図４、図５を用いて詳しく説明する。
【００２４】
図１に示した構成では、同一の形状の２つの補助梯子６を互いに天地逆に配置して梯子取付具２に連結している。このように、本実施の形態に係る補助梯子６は、上下何れの向きにも取り付けることが可能である（図２も参照。）。例えば、マンホール内の足掛け用のステップに繋がる側の補助梯子６を、地上に大きく突出するように配置し、逆側の補助梯子６はマンホール内に大きく延びるように配置すると使い勝手が良い。すなわち、地上に大きく突出した補助梯子６の上端に手を掛けて下端側に足を掛けると、そのまま降りて行くだけでスムーズにマンホール内のステップに足を載せることができる。また、地上側に上端が短く突出した側の補助梯子６に腰を掛けることができるので、マンホール内に工具類を下ろす等の作業に都合が良い。
【００２５】
次に、補助梯子６の連結アーム８と梯子取付具２の連結部３との連結構成について、図３を用いて説明する。図３は、連結部３と連結アーム８の中央で切断した端面図を示している。このうち、図３（ａ）は、補助梯子６の取付ピン８ｃを梯子取付具２の取付穴４に挿入する前の状態を示し、図３（ｂ）は補助梯子６を梯子取付具２に対して連結完了した状態を示している。
【００２６】
図３（ａ）から分かるように、梯子取付具２側の連結部３は、フランジ部２ａ上に立設されたボルト部３ａと、このボルト部３ａに螺合するナット部３ｂとから構成されている。ボルト部３ａには上端側と下端側（フランジ部２ａ側）に螺子溝３ｃが形成されているが、中央周辺には形成されていない。図３（ａ）に示した状態は、連結前の状態であるため、ナット部３ｂは、ボルト部３ａの上端側の螺子溝３ｃに螺合されて退避状態となっている。この状態において、補助梯子６の連結アーム８がボルト部３ａに近付く。
【００２７】
連結アーム８の先端には、ボルト部３ａが嵌入可能な幅に切り欠き８ａが形成されている。ここで、一旦図２を参照して、この切り欠き８ａの周辺には、ボルト部３ａの延びる方向に、ナット部３ｂの下端側が嵌合可能な大きさのナット受け凹部８ｂが形成されている。図３（ａ）に戻って、連結アーム８の断面を見ると、ナット受け凹部８ｂは上下の両面に形成されているので、補助梯子６を上下逆に配置した場合であっても、ナット部３ｂの下端をナット受け凹部８ｂに嵌合させることが可能である。
【００２８】
本実施の形態では連結アーム８の切り欠き８ａ内にボルト部３ａが収容された状態において、取付ピン８ｃの軸中心が取付穴４の中心と一致するように構成されている。このため、連結アーム８の切り欠き８ａにボルト部３ａの螺子溝３ｃが形成されていない中央付近を嵌め込んで位置合わせをするだけで、取付ピン８ｃを取付穴４に位置合わせすることができる。そして、そのまま下方へ移動させて取付ピン８ｃを取付穴４内に挿入することにより容易に補助梯子６を梯子取付具２に組み付けることができる。このように簡単に位置合わせができるので、夜間作業などにおいても作業効率が低下することがない。
【００２９】
そして、図３（ａ）から分かるように、フランジ部２ａ側の螺子溝３ｃが形成されている長さよりも取付ピン８ｃの方が十分に長く形成されているので、降下する切り欠き８ａが螺子溝３ｃに差し掛かる前に、取付ピン８ｃが取付穴４に挿入される。つまり、切り欠き８ａが螺子溝３ｃと干渉することなく、取付穴４によって取付ピン８ｃがガイドされて正確に補助梯子６を連結することができる。したがって、螺子溝３ｃの不要な摩耗を防止することができ、耐久性の向上を図ることが可能である。
【００３０】
図３（ｂ）では、組み付けられた補助梯子６の連結アーム８の上方からナット部３ｂが締め込まれている。上述のように、連結アーム８にはナット部３ｂの下端側が嵌入可能なナット受け凹部８ｂが形成されているので、締結が完了すると、取付ピン８ｃと取付穴４との係合に加えて、ナット部３ｂとナット受け凹部８ｂとの係合により、補助梯子６は水平方向への移動が二重に規制される。
【００３１】
さらに、作業効率の面に着目すると、ボルト部３ａの中央域には螺子溝３ｃが形成されていないので、上方の退避位置と下方の締結位置との間の移動の際に不要な回転操作を行わなくても良く、作業効率が大幅に向上する。
【００３２】
次に、図４、図５を用いてロック部１２の構成と機能について説明する。図４（ａ）は、マンホールの開口縁に対してロックされた状態を示し、図４（ｂ）にはロック解除の状態が示されている。尚、ここでは、説明の便宜のために、マンホールの開口縁側の構成については図示を省略している。
【００３３】
本実施の形態に係るロック部１２は、梯子取付具２の内壁側に平行に配置された上板１２ｄと下板１２ｅとを備えている。そして、これら上板１２ｄ、下板１２ｅに対して回転軸１２ｂが貫通配置されている。回転軸１２ｂのうち上板１２ｄよりも上方側では操作用のレバー１２ａが直角に接続されている。また、下板１２ｅよりも下方側では、マンホールの内壁に係合する係合爪１２ｆが接続されている。このような構成により、レバー１２ａを回動操作するだけで、容易にマンホールの開口縁の凹部などに係合爪１２ｆを係合さ
せロックすることが可能となる。
【００３４】
なお、本実施の形態では、下板１２ｅは、断面略Ｌ字形に形成されているので、床置き状態でも係合爪１２ｆが直接床に接することなく保護される。
【００３５】
また、回転軸１２ｂのうち、上板１２ｄと下板１２ｅとの間には、スプリング１２ｇが外嵌されている。そして、このスプリング１２ｇの上端側に調整ナット１２ｃが螺合配置され、調整ナット１２ｃがスプリング１２ｇにより持ち上げられた状態となっている。
【００３６】
このような構成により、スプリング１２ｇの付勢に抗して回転軸１２ｂを持ち上げることは可能である。また、調整ナット１２ｃを回し、下方へ移動させると、調整ナット１２ｃの位置はスプリング１２ｇによって常に上板１２ｄの下面へ当接状態となっているので、相対的に回転軸１２ｂが持ち上がる。逆に、調整ナット１２ｃを回して上方へ移動させると、回転軸１２ｂは相対的に下方へ下がる。
【００３７】
このように、梯子取付具２を設置するマンホールの開口縁の形状に合わせて、ロック部１２の係合爪１２ｆの高さを調整することが可能である。
【００３８】
ここでは、マンホール側の開口縁の構造については詳しく説明していないが、例えば、開口側から所定の深さ位置に凹部が形成されている放圧型のマンホール等に対して、本実施の形態に係る梯子取付具２は適している。また、放圧型に限らず、開口側に凹部が形成されていれば、その凹部に係合爪１２ｆを係合させてマンホール用補助梯子１を固定することができる。
【００３９】
続いて、ロック部１２の角度調整機能について図５を用いて説明する。図５は、傾斜地に設けられたマンホールの断面を模式的に表わしている。説明の便宜のため、マンホールの開口縁５０の片側を拡大し、一方側のロック部１２のみを示している。
【００４０】
一般に、傾斜地であっても地中のマンホールは垂直に配置されている。このため、マンホールの延びる方向と地面５３の傾斜方向とは直交しない場合がある。しかし、傾斜した開口縁５０に合わせて補助梯子６を設置すると、マンホール内の足掛け用のステップと補助梯子６とがスムーズに連続しなくなり、作業者が足を踏み外す可能性が高くなる。
【００４１】
このような点を考慮して、本実施の形態に係るマンホール用補助梯子１には、ロック部１２に角度調整機能が備わっている。既に図４を用いて説明したように、調整ナット１２ｃを調整することにより、回転軸１２ｂの高さ位置を調整することができる。図５には、梯子取付具２がマンホールの延びる方向に対して直交する方向に配置されるように、傾斜下方側（図５において右側）のフランジ部２ａの下側に、板状部材をスペーサー１４として介在させる。そして、図４を用いて説明したように、スペーサー１４の厚さの分だけ持ち上がった係合爪１２ｆ（図中、実線で示した。）を調整ナット１２ｃにより下げてマンホールの内壁５０ａの凹部に係合できるように調整する（図中の破線で示した状態。）ことが可能である。
【００４２】
次に、以上のような構成のマンホール用補助梯子１の使用時における外力の作用について、図６を用いて説明する。
【００４３】
図６は、マンホールに設置された状態について、連結部３を通る面で切断した端面図を示している。なお、マンホールの開口周辺の細かな形状や、説明に不要なフランジ部２ａ上の細かな構成については図示を省略している。
【００４４】
図６を参照して、マンホール内の足掛け用のステップ５２が設けられている側に配置された補助梯子６は、地上側に大きく延びるように梯子取付具２に組み付けられている。ここでは、この地上に大きく延びるように配置された側を補助梯子６Ａと呼び、マンホール内側へ大きく延びるように配置された側を補助梯子６Ｂとして区別することにする。
【００４５】
このように配置されているので、作業者は、マンホール内に入る際、補助梯子６Ａ側の上端６ａに手を掛け、下端６ｂに足を掛けてステップ５２に近付いて行く。このとき、作業者の重心はマンホールの中心側にあるので、補助梯子６Ａの上端６ａ側は、連結アーム８辺りを支点としてマンホールの中心側へ回動させる力を受ける。
【００４６】
一方、足が載せられる下端６ｂ側について着目すると、同様に、作業者の重心は、マンホールの中心側にあるので、連結アーム８辺りを支点として、マンホールの外径側へ向けて回動させる力が働く。
【００４７】
すなわち、連結アーム８よりも下方に配置された当接アーム１０がマンホールの内壁５０ａ（矢印３１の向き）へ強く押し当てられると共に、連結アーム８の周辺部分（梯子取付具２）がマンホールの中心側（矢印３２の向き）へ向かう力を受ける。言い換えると、梯子取付具２が当接アーム１０の当接している側のマンホールの内壁５０ａと対向する反対側に反力を受けて強く押し付けられる。
【００４８】
したがって、作業者が補助梯子６Ａに乗るだけで、補助梯子６Ａ及び梯子取付具２は、互いに水平方向逆側に向かって突っ張り、マンホールの開口縁５０に対して強固に固定される状態となる。
【００４９】
次に、補助梯子６Ｂについて見ると、上述のように、作業者は、上端６ｃに腰を掛けることができる。このとき、連結アーム８よりもマンホールの中心側に作業者の体重が加わるので、連結アーム８よりも下方に設けられた当接アーム１０がマンホールの内壁５０ａ側（矢印３３の向き）に押し付けられる。また、作業者がマンホール内に深く入っていく際、下端側６ｄに足を掛けると、上述の場合と同様に、下側の当接アーム１０は、マンホールの内壁５０ａ（矢印３３の向き）に押し付けられる。そして、この反力として、連結アーム８の周辺部分（梯子取付具２）はマンホールの中心側（矢印３４の向き）へ向かう力を受ける。
【００５０】
以上のように、２つのロック部１２により簡易に固定されていながらも、使用時においては、作業者の重量に応じて十分な支持力が発生するので、作業時の安全性が確保されるとともに、コストの低減、重量の軽減化を実現することが可能となり、延いては、作業効率が著しく向上する。
【００５１】
加えて、作業者が補助梯子６に足を載せる場合に限らず、例えば、補助梯子６に荷吊用の滑車を取り付けた場合においても、同様に、補助梯子６の当接アーム１０がマンホールの内壁５０ａに押圧状態となるので、重量物の運搬を安全に行うことが可能である。
【００５２】
続いて、図７に本実施の形態に係るマンホール用補助梯子の別の使用状態について説明する。図７に示すように、梯子取付具２のフランジ部２ａ上には、ハッチ式の安全蓋１６を取り付けることが可能である。これにより、作業者が開口部を通過する時以外は、図７（ｂ）に示すように、安全蓋１６を閉じておき、作業者や工具類の落下を防止することができる。尚、図７に示した安全蓋１６については、平行な縦骨２本と直交する方向に５本の横骨を組み合わせて形成した構成を例として示したが、この安全蓋１６を覆うようにネット状部材を更に組み合わせると、小型の部品の落下も効果的に防止できるので、さらに安全性が向上する。また、この安全蓋１６は、ヒンジ部１６ａを介して梯子取付具２に連
結されているので、マンホール内に入る作業者が自分で容易に開閉操作を行うことが可能である。
【００５３】
さらに、図８に示すように、防護柵１８を組み合わせることも可能である。ここでは、湾曲した防護柵１８を４つ組み合わせることにより、梯子取付具２の全周域を覆うことのできる構成が示されている。また、４つの防護柵１８のうち、１つの防護柵１８ａについては、ヒンジ（図示せず）により開閉可能に設けておくと操作性が良くなる。
【００５４】
尚、上記の実施の形態では、梯子取付具２に対して補助梯子６を２つ設置した構成を例として示したが、１つのみであってもマンホール用補助梯子をマンホールの開口に安定して固定することができるという効果を十分に得ることが可能である。
【００５５】
また、上記の実施の形態では、補助梯子６の連結アーム８において、取付ピン８ｃ、ナット受け凹部８ｂが上下両側に設けられ、当接アーム１０も連結アーム８を中心として上下対称に設けられた構成を例として示した。しかし、一方側のみに設けられていても同様の効果を得ることができる。
【００５６】
また、上記の実施の形態では、当接アーム１０は、連結アーム８を中心として、上下に略等間隔で設けられている構成を例として示したが、等間隔でなくても構わない。
【００５７】
また、上記の実施の形態では、連結部３の例として、両端側にのみ螺子溝３ｃが形成されたボルト部３ａとナット部３ｂとからなる構成を例として示したが、例えば、フックのような係止手段を用いても構わない。
【００５８】
また、上記の実施の形態では、連結アーム８と梯子取付具２とを連結させるために取付ピン８ｃと取付穴４とが設けられた構成を例として示したが、取付ピン８ｃと取付穴４を採用せず、連結部３のみで補助梯子６を連結する構成であっても構わない。
【産業上の利用可能性】
【００５９】
本発明のマンホール用補助梯子１は、開口縁５０に対して安定して梯子を固定することができ、内部のステップへスムーズに移動することができるので、電気設備や上下水道施設のマンホール以外にも、貯水タンクなどの開口に取り付ける補助梯子として有用である。
【符号の説明】
【００６０】
１    マンホール用補助梯子
２    梯子取付具
２ａ    フランジ部
３    連結部
３ａ    ボルト部
３ｂ    ナット部
３ｃ    螺子溝
４    取付穴
６、６Ａ、６Ｂ    補助梯子
６ａ、６ｃ    上端
６ｂ、６ｄ    下端
８    連結アーム
８ａ    切り欠き
８ｂ    ナット受け凹部
８ｃ    取付ピン
１０    当接アーム
１２    ロック部
１２ａ    レバー
１２ｂ    回転軸
１２ｃ    調整ナット
１２ｄ    上板
１２ｅ    下板
１２ｆ    係合爪
１２ｇ    スプリング
１４    スペーサー
１６    安全蓋
１６ａ    ヒンジ部
１８、１８ａ    防護柵
５０    開口縁
５０ａ    内壁
５２    ステップ
５３    地面
【図１】
2014227812.tif 000003
【図２】
2014227812.tif 000004
【図３】
2014227812.tif 000005
【図４】
2014227812.tif 000006
【図５】
2014227812.tif 000007
【図６】
2014227812.tif 000008
【図７】
2014227812.tif 000009
【図８】
2014227812.tif 000010
【図９】
2014227812.tif 000011